(57)【要約】【課題】複数の回転表示機による表示態様の趣向性を向上させた遊技機の回転表示装置を得る。【解決手段】回転表示装置１０のケース１２略中央に主表示機１６を配置し、主表示機１６の左斜め上方、左斜め下方、右斜め上方、及び右斜め下方にそれぞれ副表示機１８ＬＵ、１８ＬＤ、１８ＲＵ、１８ＲＤを配置する。また、各主表示機の回転体は球状としてそれぞれ交差する２つの軸線回りに回転動作するよう構成する。【選択図】        図１
2004154452.tif 000002
【特許請求の範囲】
【請求項１】
表示情報が設けられ交差する２つの回転軸線回りに回転駆動されて前記表示情報を表示する回転体を備えた主表示機と、
前記主表示機の周囲に３つ以上設けられ、前記回転体を備えた副表示機と、
を有することを特徴とする遊技機の回転表示装置。
【請求項２】
前記副表示機を４つ備え、各副表示機は前記主表示機の左斜め上方、左斜め下方、右斜め上方、及び右斜め下方にそれぞれ配置されていることを特徴とする請求項１記載の遊技機の回転表示装置。
【請求項３】
前記左斜め上方に配置された副表示機と前記右斜め下方に配置された副表示機とは前記主表示機を挟み同一直線上に配置され、前記右斜め上方に配置された副表示機と前記左斜め下方に配置された副表示機とは前記主表示機を挟み同一直線上に配置されていることを特徴とする請求項２記載の遊技機の回転表示装置。
【請求項４】
前記回転体は球状とされ、前記主表示機の回転体は前記副表示機の回転体よりも大きくされていることを特徴とする請求項１〜請求項３記載の遊技機の回転表示装置。
【請求項５】
表示情報が設けられ交差する２つの回転軸線回りに回転駆動されて前記表示情報を表示する球状の回転体を備えた主表示機と、
前記主表示機の周囲に１つ以上設けられ、前記回転体を備えた副表示機と、
を有することを特徴とする遊技機の回転表示装置。
【請求項６】
前記主表示機及び前記副表示機の少なくとも一方は、
前記回転体の非表示側に開口部が設けられ、
前記回転体の内側に配置され回転体を第１回転軸線回りに回転可能に支持する第１支持手段と、
前記開口部を介して前記第１支持手段を前記第１回転軸線と交差する第２回転軸線回りに回転可能に支持する第２支持手段と、
を有することを特徴とする請求項１〜請求項５記載の遊技機の回転表示装置。
【請求項７】
前記回転体の内側には更に、回転体を前記第１回転軸線回りに回転させるための回転力を伝達する伝動機構が配置されていることを特徴とする請求項６記載の遊技機の回転表示装置。
【発明の詳細な説明】
【０００１】
【発明の属する技術分野】
本発明は遊技機の回転表示装置に係り、詳しくは、回転体の回転動作に伴い図柄等を表示して表示態様を多様化させる遊技機の回転表示装置に関する。
【０００２】
【従来の技術】
パチンコ機やパチスロ機等の遊技機では、抽選時の図柄や各種情報を表示する際の表示態様を多様化させるため、あるいは視覚的な演出効果を高めるためなどに、可変表示式や回転式の表示装置を搭載した機種がある。
【０００３】
例えば、可変表示式の表示装置（以下、「可変表示装置」という）には、複数の可変表示部が直線状あるいはマトリックス状に配置されて１又は複数本の「組み合わせ有効列」が定められており、抽選で各可変表示部が停止したときの表示結果によって、組み合わせ有効列上に「当たり図柄」等の特定の識別情報の組み合わせが成立した場合に「当たり」となるものがある。
【０００４】
また、回転式の表示装置（以下、「回転表示装置」という）には、同一形状の回転ドラムを４又は６又は９個備えて、２行２列、２行３列又は３行２列、３行３列のマトリックス状に配置したものや（例えば、特許文献１参照）、回転体を立方体等の多面体により構成しその各面に図柄等を設けて交差する２つの軸線回りに回転させるもの（例えば、特許文献２参照）、あるいは、回転体を球体として直交する２つの軸線回りに回転させるもの（例えば、特許文献３参照）がある。
【０００５】
【特許文献１】
特許第２７８１８８３号公報  （第３‐５頁、第１図、第１６図、第１８図、第２０図、第２１図）
【特許文献２】
特許第３２７８７０８号公報  （第２‐４頁、第１図、第３図、第４図）
【特許文献３】
特開平８−１９１９３６号公報  （第４‐６頁、第１図、第７図）
【０００６】
【発明が解決しようとする課題】
しかしながら、上述した可変表示装置は、表示図柄による「当たり」の報知が、すなわち、定められた組み合わせ有効列が、縦・横・斜めの直線配列のみであり単純で面白みに欠けている。さらに、図柄の変動方向は一定であるため、表示態様が単調になり趣向性に乏しい。また、最初に停止した第１図柄が外れ図柄の場合、その時点で「外れ」が確定するため、第２、第３図柄の停止を待つ時間は無駄となり遊技者に飽きられる傾向にある。
【０００７】
特許文献１等に示されるドラム式の回転表示装置では、「当たり」／「外れ」が図柄の種類のみで決まるため、抽選時の期待感を高めるには１つのドラムに当たり図柄と外れ図柄を多数設ける必要がある。その場合、個々の図柄が小さくなり視認性が低下する、あるいは、視認性を確保するために図柄を大きくするにはドラムを大型化しなければならない問題がある。また、ドラムの回転方向は、ドラムが横向き配置であれば上下方向、縦向き配置であれば左右方向となり、いずれにせよ１つの回転軸線を中心とした正転・逆転の２通りのみであるため、図柄の表示態様としては単調である。
【０００８】
一方、特許文献２等に示される立方体形状の回転体では、立方体の各面に設けた６種類の図柄を切り換えて表示するために、一方の回転支軸を立方体の対角線上に設け、その回転支軸を回転可能に支持する支持部や回転支軸に回転力を伝える歯車等の回転機構は立方体の外側である対角線の延長線上に配置している。この回転機構により、正面視方向における回転体（立方体）の周辺は占有されてしまうため、装置は大型化し、特に遊技機正面で見た場合の設置面積が大きくなる。また、このような回転体及び回転機構を備える回転表示機を隣接させて複数配置する場合は、回転表示機の間隔が広がることにより表示図柄は見にくくなる。
【０００９】
他方、特許文献３等に示される従来例の場合は、球体形状の回転体を２軸で回転動作させることにより、１軸回転のドラム等に比べて図柄を複雑に動かすことができるので、多様な表示態様が得られ趣向性を向上できる利点がある。
【００１０】
しかし、この場合も、球体を正面視方向と直交する方向で回転可能に支持する一方の回転支持機構が球体の外側に配置されているため、上述した立方体の場合と同様に、装置の大型化や、複数の回転表示機を隣接配置する際の表示図柄の視認性が問題となる。
【００１１】
また、このように複数の回転表示機を備えることで大型化した装置をパチンコ機に搭載すると、遊技盤面の遊技領域における装置占有率は大きくなる。それに伴い、遊技球の移動できる範囲は縮小され、さらには遊技釘の配列に支障をきたすこともあるため、遊技球の動きが制限されてパチンコ機本来の遊技性、すなわち、遊技者に提供する、遊技球が入賞するまでの球の動きを見せることでの期待感が損なわれてしまうことになる。
【００１２】
本発明は上記事実を考慮して、複数の回転表示機による表示態様の趣向性や斬新性を向上させ、また、回転表示機を複数搭載しても装置を小型に構成することができる遊技機の回転表示装置を提供することを課題とする。
【００１３】
【課題を解決するための手段】
上記目的を達成するために請求項１に記載の発明は、表示情報が設けられ交差する２つの回転軸線回りに回転駆動されて前記表示情報を表示する回転体を備えた主表示機と、前記主表示機の周囲に３つ以上設けられ、前記回転体を備えた副表示機と、を有することを特徴としている。
【００１４】
請求項１に記載の発明では、主表示機及び副表示機は、それぞれ備える回転体が交差する２つの回転軸線回りに回転駆動されて図柄等の表示情報を表示する。この回転体の２つの回転軸線回りに回転動作により、例えば、回転体に異なる表示情報を複数設けた場合は表示情報の種類を切り換えて表示できるとともに、その表示情報の向きも変えて表示するなどの多様な表示態様が可能となる。
【００１５】
そして主表示機を中央に配置し、主表示機の周囲に副表示機を３つ以上設けることで、主表示機と何れか２つの副表示機とにより有効な組み合わせを複数パターン形成することができる。例えば、副表示機を３つとした計４つの表示機構成の場合は、２つの副表示機を選択する組み合わせが３通りあり、有効な組み合わせを３パターン形成することができる。なお、副表示機を４つ以上設ける場合は、３つ以上の副表示機を選択して有効な組み合わせパターンを形成してもよく、また副表示機の配設数に係わらず、全ての副表示機を用いて有効な組み合わせパターンを形成してもよい。
【００１６】
このように、主表示機と主表示機の周囲に配置される３つ以上の副表示機とにより、従来の縦・横・斜めで直線状に形成される「組み合わせ有効列」等とな異なった「組み合わせ有効パターン」を形成することができ、斬新で趣向性の高い表示態様が得られる。
【００１７】
請求項２に記載の発明は、請求項１記載の遊技機の回転表示装置において、前記副表示機を４つ備え、各副表示機は前記主表示機の左斜め上方、左斜め下方、右斜め上方、及び右斜め下方にそれぞれ配置されていることを特徴としている。
【００１８】
請求項２に記載の発明では、４つの副表示機を主表示機の左斜め上方、左斜め下方、右斜め上方、及び右斜め下方にそれぞれ配置することにより矩形状の表示部が構成され、この回転表示装置を、例えば、パチンコ機の遊技盤に搭載する場合は、液晶ディスプレイ等の表示装置との置き換えが容易となり、視覚的なバランスもよくなる。
【００１９】
請求項３に記載の発明は、請求項２記載の遊技機の回転表示装置において、前記左斜め上方に配置された副表示機と前記右斜め下方に配置された副表示機とは前記主表示機を挟み同一直線上に配置され、前記右斜め上方に配置された副表示機と前記左斜め下方に配置された副表示機とは前記主表示機を挟み同一直線上に配置されていることを特徴としている。
【００２０】
請求項３に記載の発明では、主表示機に対し、左斜め上方及び右斜め下方に位置する各副表示機を同一直線上に配置し、右斜め上方及び左右斜め下方に位置する各副表示機を同一直線上に配置することで、各副表示機は主表示機を中心にクロスライン状に配置される。これにより、例えば、中央の主表示機による表示情報と、主表示機を挟んで対向する２つの副表示機による各表示情報とが同一種類又は同一種類で且つ同じ向きなどとなり、「リーチ」等の特定の状態となった場合に、ライン状に並んだ各表示情報により報知される特定状態の識別が容易となる。
【００２１】
請求項４に記載の発明は、請求項１〜請求項３記載の遊技機の回転表示装置において、前記回転体は球状とされ、前記主表示機の回転体は前記副表示機の回転体よりも大きくされていること特徴としている。
【００２２】
請求項４に記載の発明では、回転体を球状とし、主表示機の回転体を副表示機の回転体よりも大きくすることにより、各表示機による表示を、例えば、副表示機による表示後に主表示機による表示を行うような場合、遊技者が最後に注目する主表示機の回転体を目立たせ、より大きな期待感を抱かせることができる。ま、回転体の大きさを異ならせることにより、更に斬新な印象が与えられる。
【００２３】
請求項５に記載の発明は、表示情報が設けられ交差する２つの回転軸線回りに回転駆動されて前記表示情報を表示する球状の回転体を備えた主表示機と、前記主表示機の周囲に１つ以上設けられ、前記回転体を備えた副表示機と、を有することを特徴としている。
【００２４】
請求項５に記載の発明では、主表示機及び副表示機は、それぞれ備える球状の回転体が交差する２つの回転軸線回りに回転駆動されて図柄等の表示情報を多彩に表示し、その主表示機と主表示機の周囲に１つ以上設けた副表示機とによって有効となる組み合わせパターンを形成することにより、斬新で趣向性の高い表示態様が得られる。また、これにより、表示情報の種類及び向きなどを種々組み合わせた多数の組み合わせ有効パターンを形成できるので、例えば、副表示機を１つとした計２つの表示機による最小ユニット構成の場合でも、多様な表示態様が作り出せる。さらに、表示情報の視認性を確保するために表示情報を大きくする場合でも、多様な表示態様が得られることにより、回転体に設ける表示情報数を少なくすることで回転体及び装置全体を大型化することなく容易に対応できるようになる。
【００２５】
請求項６に記載の発明は、請求項１〜請求項５記載の遊技機の回転表示装置において、前記主表示機及び前記副表示機の少なくとも一方は、前記回転体の非表示側に開口部が設けられ、前記回転体の内側に配置され回転体を第１回転軸線回りに回転可能に支持する第１支持手段と、前記開口部を介して前記第１支持手段を前記第１回転軸線と交差する第２回転軸線回りに回転可能に支持する第２支持手段と、を有することを特徴としている。
【００２６】
請求項６に記載の発明では、主表示機及び副表示機の少なくとも一方は、回転体が第１支持手段に支持されて第１回転軸線回りに回転可能とされ、且つ、第１支持手段が第２支持手段に支持され第１回転軸線と交差する第２回転軸線回りに回転可能とされることで、回転体自体も第１回転軸線と交差する第２回転軸線回りに回転可能とされる。そして、第１支持手段を回転体の内側に配置するとともに、その第１支持手段を回転体の非表示側に設けた開口部を介して第２支持手段により支持することで、装置全体を小型化することができる。
【００２７】
請求項７に記載の発明は、請求項６記載の遊技機の回転表示装置において、前記回転体の内側には更に、回転体を前記第１回転軸線回りに回転させるための回転力を伝達する伝動機構が配置されていることを特徴としている。
【００２８】
請求項７に記載の発明では、回転体の内側に、回転体を第１回転軸線回りに回転させるための回転力を伝達する伝動機構を配置することで、装置全体を更に小型化することができる。
【００２９】
【発明の実施の形態】
以下、図面を参照して本発明の実施の形態を説明する。なお、以下の実施形態では、パチンコ機に搭載されて遊技に関する抽選図柄を表示する球体式の回転表示装置を例に説明する。
【００３０】
［第１の実施形態］
図１及び図２には、第１の実施形態に係る回転表示装置が示されている。図示のように、回転表示装置１０は、正面視が矩形状の箱形に形成されたケース１２と、ケース１２の前面を覆うカバー１４とを備えており、これらケース１２及びカバー１４によって装置本体が構成されている。さらに、ケース１２の略中央には主表示機１６が配置され、主表示機１６の周囲には同一構成の４つの副表示機１８（１８ＬＵ、１８ＬＤ、１８ＲＵ、１８ＲＤ）が配設されており、パチンコ機の遊技盤には図１に示す向きで取り付けられるようになっている。
【００３１】
以下、この回転表示装置１０に設けられた主表示機１６及び副表示機１８の構成について説明する。
【００３２】
（主表示機の構成）
図３及び図４には主表示機１６が示されている。主表示機１６は、図３では断面コ字状に示される有底筒状のベース２０を備えている。ベース２０の底壁２２中央部には貫通孔２４を有するボス２６が形成されており、貫通孔２４には金属製の薄肉パイプからなる支軸２８が圧入・固着されている。そして、この支軸２８の軸心を示した軸線Ｖ１は、回転表示装置１０がパチンコ機に搭載された際にパチンコ機の前後方向と略平行な向き、遊技盤面に対しては略垂直な向きとなる。
【００３３】
支軸２８には、パイプ３０を支柱として各部品を組み付けた回転機構ユニット３２が取り付けられており、回転機構ユニット３２は、図３では後側となるパイプ３０の基端側に圧入・固着された歯車部材３４、及び、図３では前側となるパイプ３０の先端側に圧入・固着された歯車部材３６と、歯車部材３４、３６の間に位置してパイプ３０に回転可能に取り付けられた回転体支持ユニット３８と、により３段に構成されている。なお、以下の説明では、後側を基端側、前側を先端側と呼ぶ場合がある。
【００３４】
歯車部材３４は、歯車部材３４の基部となってパイプ３０に挿入される筒体４０を備え、筒体４０の外周面先端部に平歯車４２が設けられている。この平歯車４２には、図３に示す組立状態ではステッピングモータ４４のモータ軸４６に固着された駆動歯車４８が噛み合っており、ステッピングモータ４４から回転駆動力が伝達されるようになっている。また、筒体４０の外周面基端部には、円板状の回転位置検出板５０が一体的に設けられており、回転位置検出板５０の外周端部には複数のスリット５２が周方向に所定の間隔で形成されている。なお、ステッピングモータ４４は、パチンコ機本体に搭載された表示装置制御基板のモータ制御回路に図示しない配線で接続されており、表示装置制御基板からの制御信号によって回転駆動及び停止されるようになっている。
【００３５】
一方、歯車部材３６は、歯車部材３６の基部となってパイプ３０に挿入される筒体５４の外周面先端部にかさ歯車５６が一体的に設けられており、このかさ歯車５６は、図３に示すように前側に湾曲した曲面形状とされている。
【００３６】
また、歯車部材３４の筒体４０の内周面後端部と、歯車部材３６の筒体５４の内周面前端部とには、一対のベアリング５８Ａ、５８Ｂがそれぞれ内挿されている。
【００３７】
これにより、回転機構ユニット３２のパイプ３０を支軸２８に挿入すると、回転機構ユニット３２は、一対のベアリング５８Ａ、５８Ｂを介して支軸２８に回転可能に支持され、パイプ３０及びパイプ３０と一体化された歯車部材３４、３６が軸線Ｖ１回りに一体的に回転できるようになる。また、支軸２８の先端部には周溝６０が形成されており、この周溝６０にＥリング６２が嵌め込まれることで、回転機構ユニット３２が支軸２８から抜け出さないよう取り付けられている。
【００３８】
そして、ステッピングモータ４４から歯車部材３４に回転駆動力が伝達されると、歯車部材３４と共にパイプ３０を介して歯車部材３６が回転する。またその回転位置（回転角）制御については、回転位置検出板５０のスリット５２を透過型フォトセンサ等の検出器（図示省略）で検出し、表示装置制御基板のモータ制御回路がその検出タイミング情報と表示制御プログラム等に基づいて制御信号を生成しステッピングモータ４４を駆動制御することで行うようになっている。
【００３９】
他方、パイプ３０の中間部分に取り付けられた回転体支持ユニット３８は、回転体支持ユニット３８の基部側を構成する回転位置検出部材６４と、回転位置検出部材６４に組み付けられる回転体支持部材６６とを備えている。
【００４０】
回転位置検出部材６４は、パイプ３０よりも少し大径とされてパイプ３０へ挿入される筒体６８を備えている。筒体６８の外周面基端部には円板状の回転位置検出板７０が一体的に設けられており、回転位置検出板７０の外周端部には複数のスリット７２が周方向に所定の間隔で形成されている。また、筒体６８内周面の前後端部に設けられた凹段部には一対のベアリング７４Ａ、７４Ｂがそれぞれ嵌め入れられており、この一対のベアリング７４Ａ、７４Ｂの間にはベアリング７４Ａ、７４Ｂの間隔を保持する円筒状のスリーブ７６が配置されている。
【００４１】
回転体支持部材６６は、筒体７８及び筒体７８の外周面に一体的に設けられた環状の周リブ８０を有し、筒体７８が回転位置検出部材６４の筒体６８に外挿・圧入され固着されて回転位置検出部材６４に一体化されている。また、周リブ８０の外周面基端部には歯車部８２が形成されており、周リブ８０先端には腕部９４が突設されている。この腕部９４の先端側は、回転体支持部材６６の軸心（図３の組立状態では軸心が軸線Ｖ１と重なる）に対して外側に所定角度傾斜している。さらに、その傾斜された腕部９４内面の先端部には円形凸状の受け座９６が設けられており、受け座９６の中央部には貫通孔９８が形成されている。また、周リブ８０の外周面先端部にはベアリング８４が外挿されている。
【００４２】
そしてこの回転体支持ユニット３８を、回転位置検出部材６４の筒体６８内に設けられた一対のベアリング７４Ａ、７４Ｂ及びスリーブ７６をパイプ３０に挿入して取り付けると、回転体支持ユニット３８は、一対のベアリング７４Ａ、７４Ｂを介してパイプ３０に回転可能に支持される。さらにその回転機構ユニット３２とした状態で、前述したようにベース２０の支軸２８に取り付けると、ベース２０前面の開口縁部に設けられた周状の凹段部８６にベアリング８４が嵌め込まれ、回転体支持部材６６の歯車部８２には、ステッピングモータ８８のモータ軸９０に固着された駆動歯車９２が噛み合い、ステッピングモータ８８から回転駆動力が伝達されるようになっている。なお、このステッピングモータ８８も、表示装置制御基板のモータ制御回路に図示しない配線で接続され、表示装置制御基板からの制御信号によって回転駆動及び停止されるようになっている。
【００４３】
これにより、回転体支持ユニット３８は、パイプ３０に回転可能に支持されるとともに、ベアリング８４を介してベース２０にも回転可能に支持されて軸線Ｖ１回りに回転可能となり、一体化されたパイプ３０及び歯車部材３４、３６と相対回転できるようになる。さらに、回転体支持ユニット３８の前端部がベアリング８４を介してベース２０に支持されることにより、回転機構ユニット３２全体の前側がベース２０に支えられて安定し、回転時の触れなどが抑えられる。
【００４４】
そして、ステッピングモータ８８から回転体支持部材６６の歯車部８２に回転駆動力が伝達されると、回転体支持ユニット３８は軸線Ｖ１回りに回転し、その回転位置制御については、前述したステッピングモータ４４側と同様に、回転位置検出板７０のスリット７２を検出器（図示省略）で検出し、表示装置制御基板のモータ制御回路がその検出タイミング情報と表示制御プログラム等に基づいて制御信号を生成しステッピングモータ８８を駆動制御することで行われる。
【００４５】
また、回転体支持部材６６の腕部９４には支軸１００が取り付けられている。支軸１００は、一端部に形成されたねじ部１０２が受け座９６側から貫通孔９８に挿入され、貫通孔９８を挿通したねじ部１０２先端に平ワッシャ１０４が通されナット１０６がねじ込まれることにより、回転体支持部材６６の腕部９４に固定されている。これにより、支軸１００は、その軸心を通る軸線Ｈ１が軸線Ｖ１に対し所定角度傾いて軸線Ｖ１と交差している。
【００４６】
この支軸１００には、図示のような半球状の回転体１０８が取り付けられている。回転体１０８は樹脂成形品で中空とされており、半球切断面となる円形開口１１０側は、球面から接線方向に沿って少し延出され円筒状（図３に示される断面形状としては平行）に形成されている。このように、延出部分を円筒状とすることにより、成形時の型抜きを可能としている。
【００４７】
回転体１０８の内周面１０８Ａ頂部には、筒状の軸部１１２が一体的に設けられている。この軸部１１２の軸心は、回転体１０８の仮想中心Ｏ１と回転体１０８の頂点とを結ぶ軸線（図３に示す組立状態では軸線Ｈ１）上に配置されている。また、軸部１１２の先端は円形開口１１０の周縁に揃えられており、その先端面には歯車部材１１４が固着されている。
【００４８】
歯車部材１１４は、軸部１１２と同径の筒体１１６を備え、筒体１１６の外周面一端部には他端側に湾曲した球面状のかさ歯車１１８が設けられている。この筒体１１６の他端部が軸部１１２に接合されることで、歯車部材１１４は軸部１１２と同軸的に配置されて回転体１０８に一体化されている。
【００４９】
そして回転体１０８は、図３に示すように、歯車部材１１４の筒体１１６及び軸部１１２が支軸１００に挿入されて支軸１００に軸線Ｈ１回りに回転可能に支持され、支軸１００の先端部に形成された周溝１２０に平ワッシャ１２２を介してＥリング１２４が嵌め込まれることにより、支軸１００から抜け出さないよう取り付けられている。またその状態では、回転体１０８の仮想中心Ｏ１は軸線Ｖ１と軸線Ｈ１の交点にセットされ、回転機構ユニット３２側の歯車部材３６のかさ歯車５６は回転体１０８の内側に配置されて、かさ歯車５６には歯車部材１１４のかさ歯車１１８が噛み合う。さらに支軸１００も、先端部は一部突出するがその先端部を除く基端側全てが回転体１０８の内側に配置される。またこれにより、支軸１００は回転体１０８の非表示側に配置された円形開口１１０を介して回転体支持部材６６に支持される。
【００５０】
なお、この「回転体の内側」とは、略半球状に形成された回転体１０８の内部に加え、回転体１０８の外部ではあるが内周面１０８Ａの延長領域（図３の二点鎖線Ｃ１で示される円周内）を含む範囲をいう。またここでは、回転体１０８を軸線Ｈ１回りに回転可能に支持する支持手段としての支軸１００は、先端部が回転体１０８の外側に突出しているが、このような支持手段全体を回転体１０８の内側に配置することも可能である。例えば、回転体１０８の内周面１０８Ａ頂部に回転軸を固着又は一体的に設け、その回転軸の先端部を回転体支持部材６６の腕部９４に設けたベアリングで回転可能に支持するなどにより実現することができる。
【００５１】
また、この回転体１０８の外周面１０８Ｂには、複数の図柄が印刷又はラベル等によって設けられている。それら複数の図柄は、軸線Ｈ１回りの周方向に所定の間隔で配列されており、図１には、その中の一つの図柄１２６（例として「Ａ１」）が示されている。
【００５２】
そしてこの回転体１０８を備えた主表示機１６は、ベース２０の前面がケース１２内に設けられたリブ１２８の後端に取り付けられることでケース１２に固定されている。また、その状態では回転体１０８がケース１２内に収容され、回転体１０８の表示側となる前面側は、カバー１４に設けられた凸球面状の透明レンズ部１３０に覆われている。
【００５３】
（主表示機の動作）
次に、上記構成からなる主表示機１６の動作ついて説明する。まず、ステッピングモータ８８が駆動した場合は、回転体支持ユニット３８が軸線Ｖ１回りに回転され、それに伴い回転体支持部材６６に軸支された回転体１０８も回転体支持ユニット３８と共に軸線Ｖ１回り（図３の矢印ＲＶ１方向）に回転する。このときの回転体１０８を正面から見ると、回転体１０８の外周面１０８Ｂに設けられている図柄１２６は、図１の矢印Ｒ１方向（時計回転方向）又はＬ１方向（反時計回転方向）に回転して見える。
【００５４】
また、この回転時にステッピングモータ４４が駆動停止されていると、回転体支持ユニット３８が軸線Ｖ１回りに回転するのに伴い、支軸１００に軸支された歯車部材１１４は、静止した歯車部材３６のかさ歯車５６の外周に沿って旋回移動（公転）する。そしてかさ歯車５６にはかさ歯車１１８が噛み合っているため、歯車部材１１４は旋回移動しながら軸線Ｈ１回りに回転（自転）し、回転体１０８が軸線Ｈ１回り（図３の矢印ＲＨ１方向）に回転する。これを正面から見ると、図柄１２６は、図１の矢印Ｕ１方向（上方向）又はＤ１方向（下方向）にスクロールして見える。ただし、実際には、この図柄１２６のスクロールは直線的ではなく曲線的な移動となる。したがって、ステッピングモータ８８のみの駆動では、図柄１２６は回転動作とスクロール動作とが組み合わせられた複雑な動きをする。
【００５５】
一方、ステッピングモータ８８は駆動停止されてステッピングモータ４４が駆動した場合は、その回転駆動力が回転機構ユニット３２側の歯車部材３６から回転体１０８側の歯車部材１１４に伝達されて、回転体１０８は軸線Ｈ１回りに回転する。したがって、回転体１０８を正面から見ると、図柄１２６はスクロールして見える。また、軸線Ｈ１（支軸１００）の位置は、回転体支持ユニット３８の回転・停止角度により正面視方向において変化（３６０度回転）するため、その停止位置に応じて図柄１２６のスクロール方向は変化する。
【００５６】
また、図柄１２６のスクロールはこのステッピングモータ４４により制御されるため、上述したステッピングモータ８８の駆動による図柄１２６の回転動作時に、ステッピングモータ８８に同期させてステッピングモータ４４を所定方向に所定速度で回転駆動させることにより、図柄１２６をスクロールさせず回転動作のみさせることもできる。
【００５７】
このように、本実施形態の主表示機１６では、回転体１０８が支軸１００に軸支されて軸線Ｈ１回りに回転・停止可能とされ、さらに支軸１００を取り付けた回転体支持部材６６が軸線Ｈ１と交差する軸線Ｖ１回りに回転・停止可能とされているため、それら２つの軸線回りの回転・停止が組み合わせられた複雑な回転動作をし、それに伴う図柄１２６の複数な動きが、カバー１４の透明レンズ部１３０を介して回転体１０８の表示側（前面側）を見る遊技者に観察される。そして、回転体１０８に設けられた複数の図柄のうち、回転体１０８の前面側で停止された所定の図柄が遊技者に視認される。さらにその表示図柄の向きは、ステッピングモータ４４、８８の回転制御により任意に傾けることができる。したがって、単純に１つの軸線回りに回転する回転体等に比べて多様な表示態様が得られる。さらに、直交する２つの軸線回りに回転する回転体とも異なった表示態様となるため、趣向性等も高められる。
【００５８】
（副表示機の構成）
次に副表示機１８の構成について説明する。なお、本実施形態の副表示機１８（１８ＬＵ、１８ＬＤ、１８ＲＵ、１８ＲＤ）は、上述した主表示機１６の構成を簡素化するとともに全体を小型化したものである。
【００５９】
図５及び図６には副表示機１８が示されている。副表示機１８は、図５に示されるような板状のベース１４０を備えている。ベース１４０の中央部には貫通孔１４２を有するボス１４４が形成されており、貫通孔１４２には金属製の薄肉パイプからなる支軸１４６が圧入・固着されている。この支軸１４６の軸心を示した軸線Ｖ２は、回転表示装置１０がパチンコ機に搭載された際にパチンコ機の前後方向と略平行な向き、遊技盤面に対しては略垂直な向きとなり、したがって、主表示機１６で説明した軸線Ｖ１と平行になる（図２参照）。
【００６０】
この支軸１４６には、基端側（図５では後側）に回転体支持ユニット１４８が回転可能に取り付けられ、先端側（図５では前側）に歯車部材１５０が圧入・固着されている。
【００６１】
回転体支持ユニット１４８は、回転体支持ユニット１４８の基部側を構成する回転体支持部材１５２と、回転体支持部材１５２に組み付けられる回転位置検出部材１５４とを備えている。
【００６２】
回転体支持部材１５２は、支軸１４６よりも少し大径とされて支軸１４６へ挿入される筒体１５６を備えている。筒体１５６の外周面先端部には環状の周リブ１５８が一体的に設けられており、周リブ１５８の外周面には歯車部１６０が形成されている。また、筒体１５６内周面の前後端部に設けられた凹段部には一対のベアリング１６２Ａ、１６２Ｂがそれぞれ嵌め入れられている。
【００６３】
また、周リブ１５８の先端には腕部１６４が突設されており、この腕部１６４は、回転体支持部材１５２の軸心（図５の組立状態では軸心が軸線Ｖ２と重なる）に対して外側に所定角度傾斜している。さらに、その傾斜された腕部１６４内面の先端部には円形凸状の受け座１６６が設けられており、受け座１６６の中央部には貫通孔１６８が形成されている。
【００６４】
一方、回転位置検出部材１５４は、筒体１７０及び筒体１７０の外周面基端部に一体的に設けられた円板状の回転位置検出板１７２を有し、筒体１７０が回転体支持部材１５２の筒体１５６に外挿・圧入され固着されて回転体支持部材１５２に一体化されている。また、回転位置検出板１７２の外周端部には複数のスリット１７４が周方向に所定の間隔で形成されている。
【００６５】
そしてこの回転体支持ユニット１４８を、回転体支持部材１５２の筒体１５６内に設けられた一対のベアリング１６２Ａ、１６２Ｂを支軸１４６に挿入して取り付けると、回転体支持ユニット１４８は、一対のベアリング１６２Ａ、１６２Ｂを介して支軸１４６に軸線Ｖ２回りに回転可能に支持される。さらにその状態では、回転体支持部材１５２の歯車部１６０には、ステッピングモータ１７６のモータ軸１７８に固着された駆動歯車１８０が噛み合い、ステッピングモータ１７６から回転駆動力が伝達されるようになっている。なお、このステッピングモータ１７６も、表示装置制御基板のモータ制御回路に図示しない配線で接続され、表示装置制御基板からの制御信号によって回転駆動及び停止されるようになっている。
【００６６】
これにより、ステッピングモータ１７６から回転体支持部材１５２の歯車部１６０に回転駆動力が伝達されると、回転体支持ユニット１４８は軸線Ｖ２回りに回転し、その回転位置制御については、前述した主表示機１６と同様、回転位置検出板１７２のスリット１７４を検出器（図示省略）で検出し、表示装置制御基板のモータ制御回路がその検出タイミング情報と表示制御プログラム等に基づいて制御信号を生成しステッピングモータ１７６を駆動制御することで行われる。
【００６７】
他方、歯車部材１５０は、歯車部材１５０の基部となって支軸１４６に挿入される筒体１８２を備えている。筒体１８２の外周面先端部にはかさ歯車１８４が一体的に設けられており、このかさ歯車１８４は、図５に示すように前側に湾曲した曲面形状とされている。また、この歯車部材１５０が支軸１４６に取り付けられることにより、回転体支持ユニット１４８が支軸１４６から抜け出さないよう取り付けられている。
【００６８】
また、回転体支持部材１５２の腕部１６４には支軸１８６が取り付けられている。支軸１８６は、一端部に形成されたねじ部１８８が腕部１６４の受け座１６６側から貫通孔１６８に挿入され、貫通孔１６８を挿通したねじ部１８８先端に平ワッシャ１９０が通されナット１９２がねじ込まれることにより、回転体支持部材１５２の腕部１６４に固定されている。これにより、支軸１８６は、その軸心を通る軸線Ｈ２が軸線Ｖ２に対し所定角度傾いて軸線Ｖ２と交差している。
【００６９】
この支軸１８６には、図示のような半球状の回転体１９４が取り付けられている。この回転体１９４は樹脂成形品で中空とされ、前述した主表示機１６の回転体１０８よりも小さくされている（図２参照）。また、回転体１０８と同様、半球切断面となる円形開口１９６側は、球面から接線方向に沿って少し延出され円筒状（図５に示される断面形状としては平行）に形成されており、この延出部分を円筒状とすることで成形時の型抜きを可能としている。
【００７０】
回転体１９４の内周面１９４Ａ頂部には、筒状の軸部１９８が一体的に設けられている。この軸部１９８の軸心は、回転体１９４の仮想中心Ｏ２と回転体１９４の頂点とを結ぶ軸線（図５に示す組立状態では軸線Ｈ２）上に配置されている。また、軸部１９８の先端は円形開口１９６の周縁に揃えられており、その先端面には歯車部材２００が固着されている。
【００７１】
歯車部材２００は、軸部１９８と同径の筒体２０２を備え、筒体２０２の外周面一端部には他端側に湾曲した球面状のかさ歯車２０４が設けられている。この筒体２０２の他端部が軸部１９８に接合されることで、歯車部材２００は軸部１９８と同軸的に配置されて回転体１９４に一体化されている。
【００７２】
そして回転体１９４は、図５に示すように、歯車部材２００の筒体２０２及び軸部１９８が支軸１８６に挿入されて支軸１８６に軸線Ｈ２回りに回転可能に支持され、支軸１８６の先端部に形成された周溝２０６に平ワッシャ２０８を介してＥリング２１０が嵌め込まれることにより、支軸１８６から抜け出さないよう取り付けられている。またその状態では、回転体１９４の仮想中心Ｏ２は軸線Ｖ２と軸線Ｈ２の交点にセットされ、歯車部材１５０のかさ歯車１８４は回転体１９４の内側に配置されて、かさ歯車１８４には歯車部材２００のかさ歯車２０４が噛み合う。さらに支軸１８６も、先端部は一部突出するがその先端部を除く基端側全てが回転体１９４の内側に配置される。またこれにより、支軸１８６は回転体１９４の非表示側に配置された円形開口１９６を介して回転体支持部材１５２に支持される。
【００７３】
なお、この「回転体の内側」については、前述した主表示機１６と同様、略半球状に形成された回転体１９４の内部に加え、回転体１９４の外部ではあるが内周面１９４Ａの延長領域（図５の二点鎖線Ｃ２で示される円周内）を含む範囲をいう。またこの場合も、回転体１９４を軸線Ｈ２回りに回転可能に支持する支持手段としての支軸１８６は、先端部が回転体１９４の外側に突出しているが、主表示機１６側で説明した構造などとすることにより、支持手段全体を回転体１９４の内側に配置することができる。
【００７４】
また、この回転体１９４の外周面１９４Ｂにも、複数の図柄が印刷又はラベル等によって設けられている。それら複数の図柄は、軸線Ｈ２回りの周方向に所定の間隔で配列されており、図１には、その中の一つの図柄２１２（例として「Ａ２、Ａ３、Ａ４、Ａ５」）が示されている。
【００７５】
そしてこの回転体１９４を備えた副表示機１８（１８ＬＵ、１８ＬＤ、１８ＲＵ、１８ＲＤ）は、主表示機１６と同様、ベース１４０の前面がケース１２内のリブ１２８の後端に取り付けられることでケース１２に固定されている。また、その状態では回転体１９４がケース１２内に収容され、回転体１９４の表示側となる前面側は、カバー１４に設けられた凸球面状の透明レンズ部２１４に覆われている。
【００７６】
（副表示機の動作）
次に、上記構成からなる副表示機１８（１８ＬＵ、１８ＬＤ、１８ＲＵ、１８ＲＤ）の動作ついて説明する。表示装置制御基板からの制御信号によりステッピングモータ１７６が駆動されると、回転体支持ユニット１４８が軸線Ｖ２回りに回転され、それに伴い回転体支持部材１５２に軸支された回転体１９４も回転体支持ユニット１４８と共に軸線Ｖ２回り（図５の矢印ＲＶ２方向）に回転する。このときの回転体１９４を正面から見ると、回転体１９４の外周面１９４Ｂに設けられている図柄２１２（「Ａ２」）は、図１の矢印Ｒ２方向（時計回転方向）又はＬ２方向（反時計回転方向）に回転して見える。
【００７７】
また、回転体支持ユニット１４８が回転すると、それに伴い、支軸１８６に軸支された歯車部材２００は歯車部材１５０のかさ歯車１８４の外周に沿って旋回移動（公転）する。そしてかさ歯車１８４にはかさ歯車２０４が噛み合っているため、歯車部材２００は旋回移動しながら軸線Ｈ２回りに回転（自転）し、回転体１９４が軸線Ｈ２回り（図５の矢印ＲＨ２方向）に回転する。これを正面から見ると、図柄２１２（「Ａ２」）は、図１の矢印Ｕ２方向（上方向）又はＤ２方向（下方向）にスクロールして見える。ただし、実際には、この図柄２１２スクロールは直線的ではなく曲線的な移動となる。したがって、図柄２１２は回転動作とスクロール動作とが組み合わせられた複雑な動きをする。
【００７８】
このように、本実施形態の副表示機１８（１８ＬＵ、１８ＬＤ、１８ＲＵ、１８ＲＤ）では、回転体１９４が支軸１８６に軸支されて軸線Ｈ２回りに回転・停止可能とされ、さらに支軸１８６を取り付けた回転体支持部材１５２が軸線Ｈ２と交差する軸線Ｖ２回りに回転・停止可能とされているため、それら２つの軸線回りの回転・停止が組み合わせられた複雑な回転動作をし、それに伴う図柄２１２の複数な動きが、カバー１４の透明レンズ部２１４を介して回転体１９４の表示側（前面側）を見る遊技者に観察される。そして、回転体１９４に設けられた複数の図柄のうち、回転体１９４の前面側で停止された所定の図柄が遊技者に視認される。さらにその表示図柄の向きは、各歯車の回転比の設定等により変更することができる。したがって、この副表示機１８も、単純に１つの軸線回りに回転する回転体等に比べて多様であり、且つ、直交する２つの軸線回りに回転する回転体とも異なった趣向性の高い表示態様が得られる。また、本実施形態の副表示機１８は、単一駆動源（ステッピングモータ１７６）による簡単な構成で、回転体１９４の２つの軸線回りの回転動作を実現させている。
【００７９】
（回転表示装置の構成）
次に回転表示装置１０の構成について説明する。前述したように、本実施形態の回転表示装置１０には、ケース１２の略中央に主表示機１６が配置され、主表示機１６の周囲に４つの副表示機１８が配設されている。
【００８０】
この４つの副表示機１８については、主表示機１６の左斜め上方（副表示機１８ＬＵ）、左斜め下方（副表示機１８ＬＤ）、右斜め上方（副表示機１８ＲＵ）、及び右斜め下方（副表示機１８ＲＤ）にそれぞれ配置されており、更に詳しくは、副表示機１８ＬＵと副表示機１８ＲＵとは主表示機１６を挟み同一直線上に配置され、副表示機１８ＲＵと副表示機１８ＬＤとは主表示機１６を挟み同一直線上に配置されて、各副表示機１８は主表示機１６を中心にクロスライン状に配置されている。なお、本実施形態の場合は、各表示機の回転体の仮想中心が同一直線上に配置されることで上記の配置構成となっており、また、図１に示す正面視では、主表示機１６の回転体１０８の軸線Ｖ１が仮想中心Ｏ１と重なり、副表示機１８の回転体１９４の軸線Ｖ２が仮想中心Ｏ２と重なって見える。
【００８１】
また、各表示機の間隔（仮想中心の距離）については、主表示機１６から各副表示機１８ＬＵ、１８ＬＤ、１８ＲＵ、１８ＲＤまでの距離は全て等しくされて同一円周上に配置されており、さらに、それぞれ主表示機１６に近接している。
【００８２】
また、上下配置とされた副表示機１８ＬＵと副表示機１８ＬＤ、及び、副表示機１８ＲＵと副表示機１８ＲＤも、それぞれ近接しており、さらに、左右配置とされた副表示機１８ＬＵと副表示機１８ＲＵ、及び、副表示機１８ＬＤと副表示機１８ＲＤは、それぞれ上下方向において同じ高さ（水平線上）に配置されている。したがって、回転表示装置１０は、図示のように上下方向を短手とした矩形状の表示部が構成されて薄型に形成されている。
【００８３】
（回転表示装置の動作）
次に、回転表示装置１０の動作（表示態様）と作用について説明する。なお、以下では、本実施形態の回転表示装置１０を搭載したパチンコ機の遊技仕様を例に、図７〜図９を用いて説明する。
【００８４】
遊技者により発射された遊技球が遊技盤の始動口に入賞すると、図７に示されるステップ３００で抽選が開始され、ステップ３０２で回転表示装置１０の主表示機１６及び各副表示機１８が一斉に作動し、各図柄は変動を始める。
【００８５】
そして、主表示機１６では、例えば以下のよう動作が行われる。まず、ステッピングモータ４４のみが駆動し歯車部材３６（かさ歯車５６）が回転して、図柄１２６はスクロールする。所定時間経過すると、ステッピングモータ８８が低速で回転駆動し、回転体支持ユニット３８が回転して図柄１２６に回転方向の動作が加わる。さらに所定時間経過すると、ステッピングモータ４４は停止し、ステッピングモータ８８のみの駆動によって、図柄１２６は高速スクロール及び高速回転する複雑な動作に移る。さらに、その後、ステッピングモータ４４が再駆動し高速回転して図柄１２６のスクロールは収束し、回転動作のみに変化する。
【００８６】
このように、主表示機１６では、図柄１２６が、（スクロール）⇒（スクロール＋低速回転）⇒（高速スクロール＋高速回転）⇒（スクロール＋高速回転）⇒（回転）と変動の仕方を変える。そして、図柄１２６が回転動作となった所定時間後に、ステップ３０４で副表示機１８ＬＵ、１８ＬＤ、１８ＲＵ、１８ＲＤが停止され、各図柄２１２が表示される。なお、この各副表示機の停止については、同時、あるいはランダムに行うことができる。
【００８７】
次に、ステップ３０６で表示図柄の種類と向きが同じとなった組み合わせが２つ（又は２つ以上）存在するか否かが判定され、否定判定の場合は、ステップ３０８に移行して「外れ」となり、ステップ３１０で主表示機１６を停止後、ステップ３１２で抽選を終了する。
【００８８】
なお、本実施形態では副表示機１８が４つ設けられているため、上記のような表示図柄の種類と向きが揃うという条件により形成される有効な組み合わせパターン（「組み合わせ有効パターン」）は、２つの図柄を用いる場合は６通りあり、３つの図柄を用いる場合は４通りある。
【００８９】
また、図８（Ａ）や図９（Ａ）に示すような状態等となり、ステップ３０６で肯定判定となった場合は、ステップ３１４に移行して「リーチ」となり、ステップ３１６で主表示機１６を停止する。なお、このリーチ状態になったことを報知する「リーチ・アクション」は、主表示機１６を停止する前に、再度、図柄１２６を上述した（スクロール）〜（回転）のように変動させることで行ってもよい。
【００９０】
そして、ステップ３１８で、主表示機１６を停止し図柄１２６が表示され、その表示図柄がリーチとなった何れか２つ（又は２つ以上）の表示図柄の種類及び向きと一致したか否かが判定され、図８（Ｃ）、（Ｄ）や図９（Ｃ）、（Ｄ）に示すような状態等により、否定判定の場合は、ステップ３２０に移行して「外れ」となり、ステップ３１２で抽選を終了する。
【００９１】
また、図８（Ｂ）や図９（Ｂ）に示すような状態等となって、ステップ３１８で肯定判定となった場合は、ステップ３２２に移行して「大当たり」となり、ステップ３１２で抽選終了後、所定の大当たり動作が実行される。
【００９２】
なお、上述した抽選時における回転表示装置１０の動作は極一例であり、他にも、各表示機を様々に動作させることで、趣向性が高く遊技者に斬新な印象を与えることができる表示態様を表現できる。例えば、「リーチ予告」では図柄をランダムに変動させたり、「当たり予告」では図柄を全て同じ種類にしてそれぞれ同方向に同速回転させる、また、同一種類の図柄が複数表示されたがそれらの向きが異なる場合は「再抽選」するなどが挙げられる。さらには、各表示機のモータ回転方向・回転速度を異ならせることにより、各図柄の変動の仕方を異ならせて、表示部全体で表現する演出効果等を高めるようなこともできる。
【００９３】
以上説明したように、本実施の形態に係る回転表示装置１０では、主表示機１６と主表示機１６の周囲に配置される４つの副表示機１８とにより、従来の縦・横・斜めで直線状に形成される「組み合わせ有効列」等とな異なった「組み合わせ有効パターン」が形成され、斬新で趣向性の高い表示態様が得られる。
【００９４】
また、本実施の形態では、４つの副表示機１８を主表示機１６の左斜め上方、左斜め下方、右斜め上方、及び右斜め下方にそれぞれ配置して矩形状の表示部を構成したことにより、回転表示装置１０をパチンコ機の遊技盤に搭載する際の液晶ディスプレイ等との置き換えが容易となり、視覚的なバランスもよい。
【００９５】
また、本実施の形態では、各副表示機１８を主表示機１６を中心にクロスライン状に配置したことで、「リーチ」等の特定の状態となった場合にその特定状態の識別が容易となる。
【００９６】
また、本実施の形態では、回転体を球状（略半球状）にするとともに、主表示機１６の回転体１０８を副表示機１８の回転体１９４よりも大きくしたことにより、リーチ状態となった際に、遊技者が最後に注目する主表示機１６の回転体１０８が目立ち、より大きな期待感を抱かせることができる。また、回転体の大きさを異ならせたことで、更に斬新な印象が与えられる。
【００９７】
また、本実施の形態では、主表示機１６及び副表示機１８共に、回転体１０８、１９４を軸線Ｈ１、Ｈ２回りに回転可能に支持する支持手段としての支軸１００、１８６を実質的に回転体１０８、１９４の内側に配置して、その支軸１００、１８６を回転体１０８、１９４の非表示側に設けた円形開口１１０、１９６を介して回転体支持ユニット３８、１４８（回転体支持部材６６、１５２）により支持したことで、回転機構が回転体の外側に突出されるのを抑え、これにより、各表示機を近接配置することができて、装置全体（表示部）を小型化できている。
【００９８】
さらに、本実施の形態では、回転体１０８、１９４の内側に、回転体１０８、１９４を軸線Ｈ１、Ｈ２回りに回転させるための回転力を伝達する伝動機構としてのかさ歯車５６、１１８及びかさ歯車１８４、かさ歯車２０４を配置したことで、装置全体（奥行き方向）を更に小型化できている。
【００９９】
また、本実施の形態では、主表示機１６及び副表示機１８はそれぞれ独立しており、ケース１２には個別に着脱することができるため、組み立てやメンテナンスが容易となる。
【０１００】
また、本実施の形態では、回転体に設ける図柄数が少なくても、表示図柄の種類及び向きを種々組み合わせることで多数の組み合わせ有効パターン（リーチ状態）を作り出すことができる。これにより、回転体を大型化することなく個々の図柄を大きくし、図柄を見易くすることができる。また、計５つの表示機構成でありながら、各図柄の変動パターンを異ならせるなどにより、表示部全体で多彩な表現・演出を作り出すことができる。
【０１０１】
次に、本発明の第２〜第６の実施形態について説明する。なお、第２〜第６の実施形態は、第１の実施形態で説明した副表示機１８の配置、配設数を変更した変形例である。
【０１０２】
［第２の実施形態］
図１０に示される第２の実施形態に係る回転表示装置２２０は、ケース２２２の中央に配置した主表示機１６に対し、４つの副表示機１８を上下左右にそれぞれ配置して十字状（ひし形状）の表示部を形成した例である。
【０１０３】
［第３の実施形態］
図１１に示される第３の実施形態に係る回転表示装置２３０は、ケース２３２の中央に配置した主表示機１６を６つの副表示機１８で囲み六角形状の表示部を形成した例である。
【０１０４】
［第４の実施形態］
図１２（Ａ）に示される第４の実施形態に係る回転表示装置２４０は、ケース２４２の略中央に配置した主表示機１６に対し、３つの副表示機１８を上方及び左右側方にそれぞれ配置して二等辺三角形状の表示部を形成した例である。
【０１０５】
［第５の実施形態］
図１２（Ｂ）に示される第５の実施形態に係る回転表示装置２５０は、ケース２５２の中央に配置した主表示機１６に対し、３つの副表示機１８を左斜め上方、右の斜め上方、及び下方にそれぞれ配置して逆三角形状の表示部を形成した例である。
【０１０６】
［第６の実施形態］
図１３に示される第６の実施形態に係る回転表示装置２６０は、ケース２６２の左側に主表示機１６を配置し、主表示機１６の右側に、主表示機１６の回転体と同じ大きさの回転体を備える副表示機１８を隣接させて配置した例である。
【０１０７】
このように、副表示機１８を１つとした計２つの表示機による最小ユニット構成の場合でも、主表示機１６及び副表示機１８は、それぞれ備える球状の回転体が交差する２つの回転軸線回りに回転駆動されて図柄を多彩に表示できるので、図柄の種類及び向きなどを種々組み合わせた多数の組み合わせ有効パターンを形成でき、斬新で趣向性の高い表示態様が作り出せる。さらに、図柄の視認性を確保するために図柄を大きくする場合でも、多様な表示態様が得られることにより、回転体に設ける図柄数を少なくすることで回転体及び装置全体を大型化することなく容易に対応できるようになる。なお、このように副表示機１８を１つとした構成では、副表示機１８を主表示機１６の左側や上下に配置してもよく、あるいは、斜め上方や斜め下方に配置してもよい。
【０１０８】
以上、本発明を上述した第１〜第６の実施形態により詳細に説明したが、本発明はそれらに限定されるものではなく、本発明の範囲内にて他の種々の実施形態が可能である。
【０１０９】
例えば、副表示機の回転体は、主表示機と同様の回転機構を用いて２つの駆動源により回転駆動させることができ、それにより、表示態様の趣向性及び斬新性を更に高めることができる。また、逆に、主表示機の回転体を副表示機と同様の回転機構を用いて単一駆動源により回転駆動させてもよく、それにより、主表示機及び回転表示装置の構成を簡素化することができる。
【０１１０】
また、主表示機と副表示機に設ける各回転体の大きさについては、同じでもよく、あるいは、副表示機側を大きくしてもよい。
【０１１１】
また、本発明は、パチンコ機に限らずパチスロ機等の他の遊技機に搭載される回転表示装置にも適用することがきる。
【０１１２】
【発明の効果】
本発明の遊技機の回転表示装置は上記構成としたので、複数の回転表示機による表示態様の趣向性や斬新性が向上し、また、回転表示機を複数搭載しても装置を小型に構成することができる。
【図面の簡単な説明】
【図１】本発明の第１の実施形態に係る回転表示装置を示した正面図である。
【図２】本発明の第１の実施形態に係る回転表示装置に取り付けられた状態の主表示機及び副表示機を示した水平断面図である。
【図３】本発明の第１の実施形態に係る回転表示装置に取り付けられた状態の主表示機を示した水平断面図である。
【図４】本発明の第１の実施形態に係る主表示機の要部を示した分解斜視図である。
【図５】本発明の第１の実施形態に係る回転表示装置に取り付けられた状態の副表示機１８を示した水平断面図である。
【図６】本発明の第１の実施形態に係る副表示機の要部を示した分解斜視図である。
【図７】本発明の第１の実施形態に係る回転表示装置の動作の流れを示したフローチャートである。
【図８】本発明の第１の実施形態に係る回転表示装置の表示状態の一例を示した図で、（Ａ）がリーチ状態、（Ｂ）が大当たり状態、（Ｃ）及び（Ｄ）が外れ状態である。
【図９】本発明の第１の実施形態に係る回転表示装置の表示状態の他例を示した図で、（Ａ）がリーチ状態、（Ｂ）が大当たり状態、（Ｃ）及び（Ｄ）が外れ状態である。
【図１０】本発明の第２の実施形態に係る回転表示装置を示した正面図である。
【図１１】本発明の第３の実施形態に係る回転表示装置を示した正面図である。
【図１２】（Ａ）が本発明の第４の実施形態に係る回転表示装置を示した正面図であり、（Ｂ）が本発明の第５の実施形態に係る回転表示装置を示した正面図である。
【図１３】本発明の第６の実施形態に係る回転表示装置を示した正面図である。
【符号の説明】
１０        回転表示装置
１６        主表示機
１８        副表示機
３８        回転体支持ユニット（第２支持手段）
５６        かさ歯車（伝動機構）
６６        回転体支持部材（第２支持手段）
１００        支軸（第１支持手段）
１０８        回転体
１１０        円形開口（開口部）
１１８        かさ歯車（伝動機構）
１２６        図柄（表示情報）
１４８        回転体支持ユニット（第２支持手段）
１５２        回転体支持部材（第２支持手段）
１８４        かさ歯車（伝動機構）
１８６        支軸（第１支持手段）
１９４        回転体
１９６        円形開口（開口部）
２０４        かさ歯車（伝動機構）
２１２        図柄（表示情報）
２２０        回転表示装置
２３０        回転表示装置
２４０        回転表示装置
２５０        回転表示装置
２６０        回転表示装置
Ｈ１、Ｈ２        軸線（第１回転軸線）
Ｖ１、Ｖ２        軸線（第２回転軸線）
【図１】
2004154452.tif 000003
【図２】
2004154452.tif 000004
【図３】
2004154452.tif 000005
【図４】
2004154452.tif 000006
【図５】
2004154452.tif 000007
【図６】
2004154452.tif 000008
【図７】
2004154452.tif 000009
【図８】
2004154452.tif 000010
【図９】
2004154452.tif 000011
【図１０】
2004154452.tif 000012
【図１１】
2004154452.tif 000013
【図１２】
2004154452.tif 000014
【図１３】
2004154452.tif 000015